(57)【要約】      （修正有）【課題】車両の高速走行下でのエア漏れ現象を回避できる強化内パッキンを備える弾性エアノズルを提供する。【解決手段】強化内パッキンを備える弾性エアノズル２であって、管体２５、強化内パッキン２１、弾性嵌合部品２２を備える。強化内パッキン２１を弾性嵌合部品２２に挿入し、これにより強化内パッキンの第一停止エッジ２１１は内フック槽２２５内に嵌めて設置され、強化内パッキンの第一係合底部２１２上縁は弾性嵌合部品の第二係合底部２２４を押さえ、弾性嵌合部品の強度を補強し、堅固性を拡大する。これにより、遠心力が引き起こすエアノズルの歪みを減らすことができ、車両の高速走行下でのエア漏れ現象を回避できる。【選択図】図３
0003192993.tif 000002
【実用新案登録請求の範囲】
【請求項１】
強化内パッキンを備える弾性エアノズルであって、管体、強化内パッキン、弾性嵌合部品を備え、
前記管体は、金属材質で、
前記強化内パッキンは、中空の構造で、外周縁には、第一停止エッジ、第一係合底部を設置し、
前記弾性嵌合部品は、中空構造で、前記管体に嵌合し、前記弾性嵌合部品外周縁には、第二停止エッジ、係合槽、第二係合底部を設置し、前記係合槽は、タイヤ枠に嵌めて接続し、前記第二停止エッジ下方は、タイヤ枠外側を押さえ、前記第二係合底部上縁は、タイヤ枠内側を押さえ、前記弾性嵌合部品は、内孔を備え、前記内孔には、内フック槽を設置し、
前記強化内パッキンは、前記弾性嵌合部品に挿入し、これにより、前記第一停止エッジは、前記内フック槽内に嵌めて設置され、前記第一係合底部上縁は、前記第二係合底部を押さえ、こうして前記弾性嵌合部品の強度を補強し、堅固性を拡大することを特徴とする強化内パッキンを備える弾性エアノズル。
【請求項２】
前記強化内パッキン周縁には、さらに欠槽を設置することを特徴とする請求項１に記載の強化内パッキンを備える弾性エアノズル。
【請求項３】
前記強化内パッキン上半分には、複数の欠槽を設置することを特徴とする請求項１に記載の強化内パッキンを備える弾性エアノズル。
【請求項４】
前記強化内パッキンを備える弾性エアノズルはさらに、嵌合リングを備え、
前記弾性嵌合部品はさらに、第三停止エッジを備え、
前記弾性エアノズルがタイヤ枠に接続する時、前記嵌合リングは、前記弾性嵌合部品に嵌合して押さえ、前記嵌合リング上端は、前記第三停止エッジを押さえ、下縁は、前記タイヤ枠外側を押さえることを特徴とする請求項１に記載の強化内パッキンを備える弾性エアノズル。
【請求項５】
前記嵌合リング周縁にはさらに、欠槽を設置することを特徴とする請求項４に記載の強化内パッキンを備える弾性エアノズル。
【請求項６】
前記嵌合リング上半分には、複数の欠槽を設置することを特徴とする請求項４に記載の強化内パッキンを備える弾性エアノズル。
【請求項７】
強化内パッキンを備える弾性エアノズルに設置するタイヤ圧力検知装置は、管体、弾性嵌合部品、タイヤ圧力検知装置を備え、
前記管体は、金属材質で、
前記弾性嵌合部品は、中空構造で、前記管体に嵌合し、前記弾性嵌合部品外周縁には、第二停止エッジ、係合槽、第二係合底部を設置し、前記係合槽は、タイヤ枠に嵌めて接続し、前記第二停止エッジ下方は、前記タイヤ枠外側を押さえ、前記第二係合底部上縁は、タイヤ枠内側を押さえ、前記弾性嵌合部品内孔には、内フック槽を設置し、
前記タイヤ圧力検知装置は、車両タイヤの検知を行い、その外殻は、前記強化内パッキンに結合し、
前記強化内パッキンは、中空の構造で、その外周縁には、第一停止エッジ、第一係合底部を設置し、前記第一停止エッジは、前記内フック槽内に嵌めて設置し、前記第一係合底部上縁は、前記第二係合底部を押さえ、前記弾性嵌合部品の強度を補強し、堅固性を拡大することを特徴とする強化内パッキンを備える弾性エアノズルに設置するタイヤ圧力検知装置。
【請求項８】
前記強化内パッキン周縁には、さらに欠槽を設置することを特徴とする請求項７に記載の強化内パッキンを備える弾性エアノズルに設置するタイヤ圧力検知装置。
【請求項９】
前記強化内パッキン上半分には、複数の欠槽を設置することを特徴とする請求項７に記載の強化内パッキンを備える弾性エアノズルに設置するタイヤ圧力検知装置。
【請求項１０】
前記強化内パッキンを備える弾性エアノズルに設置するタイヤ圧力検知装置はさらに、バネを備え、
前記バネは、アンテナであることを特徴とする請求項７に記載の強化内パッキンを備える弾性エアノズルに設置するタイヤ圧力検知装置。
【請求項１１】
前記強化内パッキンを備える弾性エアノズルに設置するタイヤ圧力検知装置はさらに、嵌合リングを備え、
前記弾性嵌合部品はさらに、第三停止エッジを備え、
前記弾性エアノズルがタイヤ枠に接続する時、前記嵌合リングは、前記弾性嵌合部品に嵌合して押さえ、前記嵌合リング上端は、前記第三停止エッジを押さえ、下縁は、前記タイヤ枠外側を押さえることを特徴とする請求項７に記載の強化内パッキンを備える弾性エアノズルに設置するタイヤ圧力検知装置。
【請求項１２】
前記嵌合リング周縁にはさらに、欠槽を設置することを特徴とする請求項１１に記載の強化内パッキンを備える弾性エアノズルに設置するタイヤ圧力検知装置。
【請求項１３】
前記嵌合リング上半分には、複数の欠槽を設置することを特徴とする請求項１１に記載の強化内パッキンを備える弾性エアノズルに設置するタイヤ圧力検知装置。
【考案の詳細な説明】
【技術分野】
【０００１】
本考案は、強化内パッキンを備える弾性エアノズルに関し、高速走行下でのエア漏れ現象を防止可能な弾性エアノズルで、遠心力が引き起こすエアノズルの歪みによるエア漏れを減少させられ、エアノズルの遠心力耐性を強化し、車両高速走行下でのエア漏れ現象を回避できる強化内パッキンを備える弾性エアノズルに関する。
【背景技術】
【０００２】
自動車タイヤが正常であるかどうかは、走行の安全に深く関わっている。
そのため、自動車メーカー各社は、タイヤ圧力検知器（或いは装置）を自動車配備の重要なオプションとしている。
タイヤ圧力検知器は、通常は、タイヤのエアノズル上に設置され、軽量化のために、かつての銅材質がアルミ材質に置換されるようになっている。
しかし、温帯及び寒帯の降雪地域では、融雪のために、冬季には路面に塩をまく。
塩はアルミニウムを腐食させるため、エアノズルの劣化が早まり、エア漏れの現象が起き易くなっている。
【０００３】
この問題を解決するため、図１に示すゴムエアノズルが開発された。
この種のゴムエアノズルは、内部に銅質管体１１を使用し、外部はゴムカバー１２で覆う。
ゴムカバー１２には、トレンチ１３を設置し、タイヤ枠上に係合して結合する。
これにより、ゴムエアノズル内縁は、タイヤ枠の内部に確実に密着する。
銅質管体１１には、外ネジヤマセクション１１１を設置する。
これにより、エアノズルキャップ１４内部の内ネジヤマセクション１４１は対応して螺合する。
さらに、内部気圧の推力が、それをさらに緊密に押さえて、エア漏れを防止することができる。
関連する技術は、特許文献１、特許文献２、特許文献３、特許文献４などに開示する。
【０００４】
上記した従来の技術は、ゴムエアノズルのエア漏れ問題を解決することはできるが、高速走行下では、遠心力の引力作用により、ゴムエアノズルは、タイヤ内部へと押される。
これにより、トレンチ１３の係合力と内部気圧の推力を打ち消してしまい、ゴムエアノズル内縁は、タイヤ枠内側に緊密に密着できなくなってしまい、エア漏れ現象が生じる。
よって、ゴムエアノズルは、高速走行下での使用には適していない。
特に、ドイツのような制限速度のない高速道路では、エア漏れ現象が容易に発生し、自動車走行の安全性に直接的な影響を及ぼす。
【先行技術文献】
【特許文献】
【０００５】
【特許文献１】台湾特許第ＴＷＩ３４４５３９号
【特許文献２】台湾特許第ＴＷＭ３１２４４４号
【特許文献３】台湾特許第ＴＷＩ３８８７５２号
【特許文献４】台湾公開番号第２０１３４３４２９号
【考案の概要】
【考案が解決しようとする課題】
【０００６】
本考案は、上述の問題に鑑みてなされたものであり、その目的は、高速走行下でのエア漏れ現象を防止可能な弾性エアノズルで、遠心力が引き起こすエアノズルの歪みによるエア漏れを減少させられ、エアノズルの遠心力耐性を強化し、車両高速走行下でのエア漏れ現象を回避できる強化内パッキンを備える弾性エアノズルを提供することにある。
【課題を解決するための手段】
【０００７】
本考案による強化内パッキンを備える弾性エアノズルであって、管体、強化内パッキン、弾性嵌合部品を備える。
【０００８】
管体は、金属材質である。
【０００９】
強化内パッキンは、中空の構造で、外周縁には、第一停止エッジ、第一係合底部を設置する。
【００１０】
弾性嵌合部品は、中空構造で、管体に嵌合する。弾性嵌合部品外周縁には、第二停止エッジ、係合槽、第二係合底部を設置し、係合槽は、タイヤ枠に嵌めて接続する。第二停止エッジ下方は、タイヤ枠外側を押さえ、第二係合底部上縁は、タイヤ枠内側を押さえる。弾性嵌合部品は、内孔を備え、内孔には、内フック槽を設置する。
【００１１】
強化内パッキンは、弾性嵌合部品に挿入し、これにより、第一停止エッジは、内フック槽内に嵌めて設置され、第一係合底部上縁は、第二係合底部を押さえる。こうして弾性嵌合部品の強度を補強し、堅固性を拡大する。
【００１２】
強化内パッキン周縁には、さらに欠槽を設置する。
【００１３】
強化内パッキン上半分には、複数の欠槽を設置する。
【００１４】
強化内パッキンを備える弾性エアノズルはさらに、嵌合リングを備え、弾性嵌合部品はさらに、第三停止エッジを備える。弾性エアノズルがタイヤ枠に接続する時、嵌合リングは、弾性嵌合部品に嵌合して押さえ、嵌合リング上端は、第三停止エッジを押さえ、下縁は、タイヤ枠外側を押さえる。
【００１５】
嵌合リング周縁にはさらに、欠槽を設置する。
【００１６】
嵌合リング上半分には、複数の欠槽を設置する。
【００１７】
強化内パッキンを備える弾性エアノズルに設置するタイヤ圧力検知装置は、管体、弾性嵌合部品、タイヤ圧力検知装置を備える。
【００１８】
管体は、金属材質である。
【００１９】
弾性嵌合部品は、中空構造で、管体に嵌合し、弾性嵌合部品外周縁には、第二停止エッジ、係合槽、第二係合底部を設置する。係合槽は、タイヤ枠に嵌めて接続し、第二停止エッジ下方は、タイヤ枠外側を押さえる。第二係合底部上縁は、タイヤ枠内側を押さえ、弾性嵌合部品内孔には、内フック槽を設置する。
【００２０】
タイヤ圧力検知装置は、車両タイヤの検知を行い、その外殻は、強化内パッキンに結合する。強化内パッキンは、中空の構造で、その外周縁には、第一停止エッジ、第一係合底部を設置し、第一停止エッジは、内フック槽内に嵌めて設置し、第一係合底部上縁は、第二係合底部を押さえる。こうして、弾性嵌合部品の強度を補強し、堅固性を拡大する。
【００２１】
強化内パッキン周縁には、さらに欠槽を設置する。
【００２２】
強化内パッキン上半分には、複数の欠槽を設置する。
【００２３】
強化内パッキンを備える弾性エアノズルに設置するタイヤ圧力検知装置はさらに、バネを備え、バネは、アンテナである。
【００２４】
強化内パッキンを備える弾性エアノズルに設置するタイヤ圧力検知装置はさらに、嵌合リングを備え、弾性嵌合部品はさらに、第三停止エッジを備える。弾性エアノズルがタイヤ枠に接続する時、嵌合リングは、弾性嵌合部品に嵌合して押さえ、嵌合リング上端は、第三停止エッジを押さえ、下縁は、タイヤ枠外側を押さえる。
【００２５】
嵌合リング周縁にはさらに、欠槽を設置する。
【００２６】
嵌合リング上半分には、複数の欠槽を設置する。
【考案の効果】
【００２７】
本考案は、強化内パッキンの設置を通して、弾性エアノズルの遠心力耐性を強化でき、第一停止エッジは内フック槽に嵌めて接続し、第一係合底部上方に対応し、第二係合底部を押さえるため、弾性嵌合部品の強度を補強し、堅固性を拡充することができる。
【００２８】
さらにこれにより、弾性嵌合部品の経年変形を防止し、また遠心力が生じるトルクを、弾性嵌合部品上面にダイレクトに伝えることで、タイヤ枠上に間接的に作用し、遠心力が引き起こすエアノズルの歪みによるエア漏れを減らすことができる。
【００２９】
しかも、嵌合リングは、弾性嵌合部品の強度を補強できるため、その内外は、硬質物体により挟持し、その堅固性を向上させ、遠心力が引き起こすエアノズルの歪みによるエア漏れを減らすことができ、車両の高速走行時にも、エア漏れの現象は発生せず、走行の安全を確保することができる。
【図面の簡単な説明】
【００３０】
【図１】従来のエアノズル装置の立体分解図である。
【図２】本考案の立体分解図である。
【図３】本考案の組合せ断面模式図である。
【図４】本考案に嵌合リングを設置する様子を示す立体分解図である。
【図５】図４に示す実施形態の組合せ断面模式図である。
【図６】本考案の嵌合リングの第二実施形態を示す模式図である。
【図７】本考案の嵌合リングの第三実施形態を示す模式図である。
【図８】本考案の強化内パッキンの第二実施形態を示す模式図である。
【図９】本考案の強化内パッキンの第三実施形態を示す模式図である。
【図１０】本考案にタイヤ圧力検知装置を結合する第一実施形態の模式図である。
【図１１】本考案にタイヤ圧力検知装置を結合する第二実施形態の模式図である。
【図１２】図１１に示す実施形態の組合せ断面模式図である。
【図１３】本考案にタイヤ圧力検知装置を結合する第三実施形態の模式図である。
【考案を実施するための形態】
【００３１】
（一実施形態）
本考案の一実施形態による強化内パッキンを備える弾性エアノズルを図面に基づいて説明する。
図２、３に示すように、本考案の強化内パッキンを備える弾性エアノズル２は、管体２５、強化内パッキン２１、弾性嵌合部品２２を備える。
【００３２】
管体２５は、金属材質である。
【００３３】
強化内パッキン２１は、中空の構造で、外周縁には、第一停止エッジ２１１、第一係合底部２１２を設置し、金属材質或いは硬質材質である。
【００３４】
弾性嵌合部品２２は、中空構造で、管体２５に嵌合する。
弾性嵌合部品２２は、ゴム材質で、その外周縁には、第二停止エッジ２２１、係合槽２２３、第二係合底部２２４を設置する。
係合槽２２３は、タイヤ枠３に嵌めて接続する。
第二停止エッジ２２１下方は、タイヤ枠３外側３１を押さえる。
第二係合底部２２４上縁は、タイヤ枠３内側３２を押さえる。
弾性嵌合部品２２は、内孔２２０を備える。
内孔２２０には、内フック槽２２５を設置する。
【００３５】
強化内パッキン２１は、弾性嵌合部品２２に挿入する。
これにより、第一停止エッジ２２１は、内フック槽２２５内に嵌めて設置され、第一係合底部２１２上縁は、第二係合底部２２４を押さえる。
こうして、弾性嵌合部品２２の強度を補強し、堅固性を拡大する。
【００３６】
弾性嵌合部品２２はさらに、第三停止エッジ２２２を備える。
【００３７】
本考案の強化内パッキンを備える弾性エアノズル２はさらに、嵌合リング２３を備える（図４、５参照）。
嵌合リング２３は、金属材質或いは硬質材質である。
弾性エアノズル２がタイヤ枠３に接続する時、嵌合リング２３は、弾性嵌合部品２２に嵌合して押さえる。
嵌合リング２３上端は、第三停止エッジ２２２を押さえ、下縁は、タイヤ枠３外側３１を押さえる。
【００３８】
図６に示すように、本考案嵌合リング２３の第二実施形態では、嵌合リング２３周縁にはさらに、欠槽２３１を備える。
弾性エアノズル２を取り外す際には、一文字ドライバーＫを欠槽２３１に挿入し、嵌合リング２３を簡単にめくり上げ、嵌合リング２３を取り外すことができる。
【００３９】
図７に示すように、本考案嵌合リング２３の第三実施形態では、嵌合リング２３上半分には、複数の欠槽２３２を備える。
弾性エアノズル２を取り外す際には、一文字ドライバーＫを欠槽２３２に挿入し、嵌合リング２３上半分を簡単にめくり上げ、嵌合リング２３を取り外すことができる。
【００４０】
図８に示すように、本考案強化内パッキン２１の第二実施形態では、強化内パッキン２１周縁にはさらに、欠槽２１３を備える。
【００４１】
図９に示すように、本考案強化内パッキン２１の第三実施形態では、強化内パッキン２１上半分には、複数の欠槽２１４を備える。
【００４２】
図１０に示すように、本考案の強化内パッキンを備える弾性嵌合部品２２をタイヤ圧力検知装置Ａに結合する実施形態では、管体２５、弾性嵌合部品２２、タイヤ圧力検知装置Ａを備える。
【００４３】
管体２５は、金属材質である。
【００４４】
弾性嵌合部品２２は、中空構造で、管体２５に嵌合する。
弾性嵌合部品２２は、ゴム材質で、その外周縁には、第二停止エッジ２２１、係合槽２２３、第二係合底部２２４を設置する。
係合槽２２３は、タイヤ枠３に嵌めて接続する。
第二停止エッジ２２１下方は、タイヤ枠３外側３１を押さえる。
第二係合底部２２４上縁は、タイヤ枠３内側３２を押さえる。
弾性嵌合部品２２内孔２２０には、内フック槽２２５を設置する。
【００４５】
タイヤ圧力検知装置Ａは、車両タイヤの検知を行い、その外殻Ａ１は、強化内パッキン２１に結合する。
強化内パッキン２１は、中空の構造で、金属材質或いは硬質材質で、その外周縁には、第一停止エッジ２１１、第一係合底部２１２を設置する。
第一停止エッジ２１１は、内フック槽２２５内に嵌めて設置する。
第一係合底部２１２上縁は、第二係合底部２２４を押さえ、弾性嵌合部品２２の強度を補強し、堅固性を拡大する。
【００４６】
弾性嵌合部品２２はさらに、第三停止エッジ２２２を備える。
【００４７】
図１１、１２に示すように、本考案の強化内パッキンを備える弾性エアノズル２にタイヤ圧力検知装置Ａを結合する別種の実施形態では、タイヤ圧力検知装置Ａはさらに、バネＳを備える。
バネＳは、アンテナで、弾性嵌合部品２２内に収容設置される。
【００４８】
本考案の強化内パッキンを備える弾性エアノズル２のタイヤ圧力検知装置Ａにおいて、強化エアノズル２はさらに、嵌合リング２３を備える（図１３参照）。
嵌合リング２３は、金属材質或いは硬質材質である。
弾性エアノズル２がタイヤ枠３に接続する時、嵌合リング２３は、弾性嵌合部品２２に嵌合して押さえる。
嵌合リング２３上端は、第三停止エッジ２２２を押さえ、下縁は、タイヤ枠３外側３１を押さえる。
【００４９】
上記した実施形態における嵌合リング２３は第二実施形態であり、図６に示す。
嵌合リング２３周縁にはさらに、欠槽２３１を備える。
強化内パッキンの弾性エアノズル２を取り外す際には、一文字ドライバーＫを欠槽２３１に挿入し、嵌合リング２３を簡単にめくり上げ、嵌合リング２３を取り外すことができる。
【００５０】
上記した実施形態における嵌合リング２３は第三実施形態であり、図７に示す。
嵌合リング２３上半分には、複数の欠槽２３２を備える。
強化内パッキンの弾性エアノズル２を取り外す際には、一文字ドライバーＫを欠槽２３２に挿入し、嵌合リング２３上半分を簡単にめくり上げ、嵌合リング２３を取り外すことができる。
【００５１】
上記した実施形態における強化内パッキン２１は、第二実施形態で図８に示し、強化内パッキン２１周縁にはさらに、欠槽２１３を備える。
【００５２】
上記した実施形態における強化内パッキン２１の第三実施形態は図９に示す、強化内パッキン２１上半分には、複数の欠槽２１４を備える。
【００５３】
本考案の各実施形態では、強化内パッキン２１の設置を通して、弾性エアノズル２の遠心力耐性を強化できる。
第一停止エッジ２１１は、内フック槽２２５に嵌めて接続し、第一係合底部２１２上方に対応し、第二係合底部２２４を押さえる。
これにより、弾性嵌合部品２２の強度を補強し、堅固性を拡充することができる。
さらにこれにより、弾性嵌合部品２２の経年変形を防止し、また遠心力が生じるトルクを、弾性嵌合部品２２上面にダイレクトに伝えることで、タイヤ枠３上に間接的に作用し、遠心力が引き起こすエアノズルの歪みによるエア漏れを減らすことができる。
しかも、嵌合リング２３は、弾性嵌合部品２２の強度を補強できる。
これにより、その内外は、硬質物体により挟持し、その堅固性を向上させ、遠心力が引き起こすエアノズルの歪みによるエア漏れを減らすことができる。
こうして、車両の高速走行時にも、エア漏れの現象は発生せず、走行の安全を確保することができる。
【００５４】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００５５】
１１  銅質管体
１１１  外ネジヤマセクション
１２  ゴムカバー
１３  トレンチ
１４  エアノズルキャップ
１４１内ネジヤマセクション
２  弾性エアノズル
２１  強化内パッキン
２１１  第一停止エッジ
２１２  第一係合底部
２１３  欠槽
２１４  欠槽
２２  弾性嵌合部品
２２０  内孔
２２１  第二停止エッジ
２２２  第三停止エッジ
２２３  係合槽
２２４  第二係合底部
２２５  内フック槽
２３  嵌合リング
２３１  欠槽
２３２  欠槽
２５  管体
３  タイヤ枠
３１  外側
３２  内側
Ａ  タイヤ圧力検知装置
Ａ１  外殻
Ｋ  一文字ドライバー
Ｓ  バネ
【図１】
0003192993.tif 000003
【図２】
0003192993.tif 000004
【図３】
0003192993.tif 000005
【図４】
0003192993.tif 000006
【図５】
0003192993.tif 000007
【図６】
0003192993.tif 000008
【図７】
0003192993.tif 000009
【図８】
0003192993.tif 000010
【図９】
0003192993.tif 000011
【図１０】
0003192993.tif 000012
【図１１】
0003192993.tif 000013
【図１２】
0003192993.tif 000014
【図１３】
0003192993.tif 000015